(57)【特許請求の範囲】
【請求項１】
開口枠と、前記開口枠に対して開閉可能に配設した開閉体と、これら開口枠及び開閉体のいずれか一方に移動可能に配設し、前記開口枠に対して前記開閉体が開いた状態において作用位置に配置された場合に前記開口枠に対する前記開閉体の全閉位置への移動を阻止して前記開口枠と前記開閉体との間に間隙を確保する一方、非作用位置に配置された場合に前記開口枠に対する前記開閉体の全閉位置への移動を許容するストッパ部材とを備えた建具であって、
前記開口枠に対して前記開閉体が開いた状態において前記ストッパ部材が前記非作用位置に配置された場合に前記作用位置への移動を阻止する移動阻止手段と、
前記移動阻止手段によって前記ストッパ部材が前記非作用位置に維持された状態で前記開口枠に対して前記開閉体を全閉位置に配置させた場合に前記移動阻止手段による移動阻止状態を解除し、前記開閉体が開いた場合に前記ストッパ部材の前記作用位置への移動を許容する解除手段と
を備えたことを特徴とする建具。
【請求項２】
前記ストッパ部材は、前記開口枠の縦枠と前記開閉体の縦框との間において見込み方向に沿った軸心を中心に上下方向に沿った非作用位置と左右方向に沿った作用位置との間を回転可能に配設し、前記非作用位置に配置された場合に前記開口枠の縦枠もしくは前記開閉体の縦框に収容されて前記開口枠に対する前記開閉体の全閉位置への移動を許容する一方、前記作用位置に配置された場合に前記開口枠の縦枠及び前記開閉体の縦框の間に介在して前記開閉体の全閉位置への移動を阻止することを特徴とする請求項１に記載の建具。
【請求項３】
前記移動阻止手段は、係合位置と非係合位置との間を移動可能に配設し、前記ストッパ部材が前記非作用位置に配置された状態で前記係合位置に配置された場合に前記ストッパ部材に係合することによって前記作用位置への移動を阻止する一方、前記非係合位置に配置された場合に前記ストッパ部材との係合状態を解除するとともに、前記ストッパ部材を前記作用位置に向けて押し出すフック部材を備えたものであり、
前記解除手段は、前記フック部材から突出し、前記開口枠に対して前記開閉体が全閉位置へ移動した場合に縦枠もしくは縦框に当接することにより、前記係合位置ある前記ストッパ部材を前記非係合位置に移動させる当接部材を備えた
ことを特徴とする請求項２に記載の建具。
【請求項４】
前記ストッパ部材は、見付け方向に沿った軸心を中心に回転可能に配設し、回転中心から径外方向に突出した作用部が前記開口枠の枠と前記開閉体の框との相互間に対して出没可能となるものであり、作用位置に配置された場合に前記作用部を前記開口枠の枠と前記開閉体の框との間に介在させて前記開口枠に対する前記開閉体の全閉位置への移動を阻止する一方、前記非作用位置に配置された場合に前記開口枠の枠と前記開閉体の框の間から前記作用部を逸脱させて前記開口枠に対する前記開閉体の全閉位置への移動を許容することを特徴とする請求項１に記載の建具。
【請求項５】
前記移動阻止手段は、前記ストッパ部材の作用部が予め設定した中点位置を超えて前記開閉体に近接した場合に前記開閉体に近接する方向に向けて付勢する一方、前記作用部が前記中点位置を超えて前記開閉体から離隔した場合に前記開閉体から離隔する方向に付勢するスプリングを備えたものであり、
前記解除手段は、前記ストッパ部材の回転中心から径外方向に突出し、前記開口枠に対して前記開閉体が全閉位置へ移動した場合に枠もしくは框に当接することにより、前記非作用位置にある前記ストッパ部材を少なくとも前記中点位置を超えて前記開閉体に近接する位置まで回転させる当接部材を備えた
ことを特徴とする請求項４に記載の建具。
【発明の詳細な説明】
【技術分野】
【０００１】
本発明は、開口枠に対して障子やドア等の開閉体を開閉可能に配設した建具に関するもので、より詳細には、開閉体を閉めた際に指を挟まないように工夫した建具に関するものである。
【背景技術】
【０００２】
開口枠に対して障子やドア等の開閉体を開閉可能に配設した建具にあっては、開閉体を閉める際に開閉体と開口枠との間に指を挟まないように工夫したものが種々提供されている。例えば、特許文献１には、障子の戸先面や戸尻面にストッパ片を揺動可能に配設し、障子を開けた際にストッパ片を突出させた状態に維持するようにしたものが記載されている。この建具によれば、障子を閉めた際にストッパ片が開口枠と障子との間に介在し、両者の間に間隙を確保するため、指を挟む恐れがない。
【０００３】
しかしながら、特許文献１に記載の建具にあっては、ストッパ片を突出させる操作を手動で行わなければならないため、操作し忘れた場合、上述の効果を奏することができず、開口枠と障子との間に指が挟まる事態を招来する恐れがある。
【０００４】
一方、特許文献２には、障子の框にストッパ片を戸先側に出没可能に配設し、かつ框とストッパ片との間にストッパ片を常時戸先側に突出させるスプリングを介在させたものが記載されている。この建具においては、障子を閉めた際にストッパ片の先端を開口枠に当接させた状態に配置させれば、障子を開いた際にスプリングの押圧力によってストッパ片が戸先側に突出した状態となる。従って、都度手動で操作を行わなくとも、一旦開けた障子を閉める際には、開口枠と障子との間に間隙が確保されることになり、確実に指が挟まる事態を防止することができるようになる。
【先行技術文献】
【特許文献】
【０００５】
【特許文献１】実用新案登録第３１２９３２０号公報
【特許文献２】特開２０１０−１２６９４４号公報
【発明の概要】
【発明が解決しようとする課題】
【０００６】
上述のように、特許文献２に記載の建具では、障子を一旦開けると、常にストッパ片が障子の戸先側に突出した位置に配置されるものである。従って、戸締まりを行う場合等、障子を完全に閉めるには、スプリングの押圧力に抗してストッパ片を戸先側から退行した位置に手で保持しながら行う必要があり、障子の開閉操作を考慮した場合、必ずしも好ましいとはいえない。
【０００７】
本発明は、上記実情に鑑みて、障子を閉めるときの操作を煩雑化することなく、しかも障子を開けた場合には確実に指挟みを防止することのできる建具を提供することを目的とする。
【課題を解決するための手段】
【０００８】
上記目的を達成するため、本発明に係る建具は、開口枠と、前記開口枠に対して開閉可能に配設した開閉体と、これら開口枠及び開閉体のいずれか一方に移動可能に配設し、前記開口枠に対して前記開閉体が開いた状態において作用位置に配置された場合に前記開口枠に対する前記開閉体の全閉位置への移動を阻止して前記開口枠と前記開閉体との間に間隙を確保する一方、非作用位置に配置された場合に前記開口枠に対する前記開閉体の全閉位置への移動を許容するストッパ部材とを備えた建具であって、前記開口枠に対して前記開閉体が開いた状態において前記ストッパ部材が前記非作用位置に配置された場合に前記作用位置への移動を阻止する移動阻止手段と、前記移動阻止手段によって前記ストッパ部材が前記非作用位置に維持された状態で前記開口枠に対して前記開閉体を全閉位置に配置させた場合に前記移動阻止手段による移動阻止状態を解除し、前記開閉体が開いた場合に前記ストッパ部材の前記作用位置への移動を許容する解除手段とを備えたことを特徴とする。
【０００９】
この発明によれば、開口枠に対して開閉体が開いた状態においても移動阻止手段によってストッパ部材を非作用位置に維持することができるため、開口枠に対して開閉体を閉める際の操作が煩雑化することもない。しかも、移動阻止手段によってストッパ部材が非作用位置に維持されている状態においても、開口枠に対して開閉体を閉めれば、解除手段が動作するため、再び開口枠に対して開閉体を開ければ、ストッパ部材が作用位置に配置され、指挟みを確実に防止することができる。
【００１０】
また、本発明は、上述した建具において、前記ストッパ部材は、前記開口枠の縦枠と前記開閉体の縦框との間において見込み方向に沿った軸心を中心に上下方向に沿った非作用位置と左右方向に沿った作用位置との間を回転可能に配設し、前記非作用位置に配置された場合に前記開口枠の縦枠もしくは前記開閉体の縦框に収容されて前記開口枠に対する前記開閉体の全閉位置への移動を許容する一方、前記作用位置に配置された場合に前記開口枠の縦枠及び前記開閉体の縦框の間に介在して前記開閉体の全閉位置への移動を阻止することを特徴とする。
【００１１】
この発明によれば、開口枠に対して開閉体を閉めた際に、ストッパ部材を外部から視認し難い位置に配置することが可能である。
【００１２】
また、本発明は、上述した建具において、前記移動阻止手段は、係合位置と非係合位置との間を移動可能に配設し、前記ストッパ部材が前記非作用位置に配置された状態で前記係合位置に配置された場合に前記ストッパ部材に係合することによって前記作用位置への移動を阻止する一方、前記非係合位置に配置された場合に前記ストッパ部材との係合状態を解除するとともに、前記ストッパ部材を前記作用位置に向けて押し出すフック部材を備えたものであり、前記解除手段は、前記フック部材から突出し、前記開口枠に対して前記開閉体が全閉位置へ移動した場合に縦枠もしくは縦框に当接することにより、前記係合位置ある前記ストッパ部材を前記非係合位置に移動させる当接部材を備えたことを特徴とする。
【００１３】
この発明によれば、重力や慣性力などを利用して非作用位置にあるストッパ部材を作用位置に移動させることができる。
【００１４】
また、本発明は、上述した建具において、前記ストッパ部材は、見付け方向に沿った軸心を中心に回転可能に配設し、回転中心から径外方向に突出した作用部が前記開口枠の枠と前記開閉体の框との相互間に対して出没可能となるものであり、作用位置に配置された場合に前記作用部を前記開口枠の枠と前記開閉体の框との間に介在させて前記開口枠に対する前記開閉体の全閉位置への移動を阻止する一方、前記非作用位置に配置された場合に前記開口枠の枠と前記開閉体の框の間から前記作用部を逸脱させて前記開口枠に対する前記開閉体の全閉位置への移動を許容することを特徴とする。
【００１５】
この発明によれば、ストッパ部材の動作状態を外部から視認することができる。
【００１６】
また、本発明は、上述した建具において、前記移動阻止手段は、前記ストッパ部材の作用部が予め設定した中点位置を超えて前記開閉体に近接した場合に前記開閉体に近接する方向に向けて付勢する一方、前記作用部が前記中点位置を超えて前記開閉体から離隔した場合に前記開閉体から離隔する方向に付勢するスプリングを備えたものであり、前記解除手段は、前記ストッパ部材の回転中心から径外方向に突出し、前記開口枠に対して前記開閉体が全閉位置へ移動した場合に枠もしくは框に当接することにより、前記非作用位置にある前記ストッパ部材を少なくとも前記中点位置を超えて前記開閉体に近接する位置まで回転させる当接部材を備えたことを特徴とする。
【００１７】
この発明によれば、スプリングによって押圧するため、外力が作用した場合にも作用位置に配置されたストッパ部材を確実に作用位置に維持することができる。
【発明の効果】
【００１８】
本発明によれば、開口枠に対して開閉体が開いた状態においても移動阻止手段によってストッパ部材を非作用位置に維持することができるため、開口枠に対して開閉体を閉める際の操作が煩雑化することもない。しかも、移動阻止手段によってストッパ部材が非作用位置に維持されている状態においても、開口枠に対して開閉体を閉めれば、解除手段が動作するため、再び開口枠に対して開閉体を開ければ、ストッパ部材が作用位置に配置され、指挟みを確実に防止することができる。
【図面の簡単な説明】
【００１９】
【図１】図１は、本発明の実施の形態１である建具を室内側から見た図である。
【図２】図２は、図１に示した建具の要部を示す横断面図である。
【図３】図３は、図１に示した建具に適用するストッパ部材の分解斜視図である。
【図４】図４は、図３に示したストッパ部材を非作用位置に配置した状態の斜視図である。
【図５】図５は、図３に示したストッパ部材において移動阻止手段による移動阻止状態が解除された際の斜視図である。
【図６】図６は、図３に示したストッパ部材を作用位置に配置した状態の斜視図である。
【図７】図７は、図１に示した建具においてストッパ部材が非作用位置に配置された状態の要部を示す概念図である。
【図８】図８は、図１に示した建具においてストッパ部材が非作用位置に配置された状態の要部を示す横断面図である。
【図９】図９は、図１に示した建具において移動阻止手段によるストッパ部材の移動阻止状態が解除された際の要部を示す概念図である。
【図１０】図１０は、図１に示した建具においてストッパ部材が作用位置に配置された状態の要部を示す概念図である。
【図１１】図１１は、図１に示した建具においてストッパ部材が作用位置に配置された状態の要部を示す横断面図である。
【図１２】図１２は、本発明の実施の形態２である建具を室内側から見た図である。
【図１３】図１３は、図１２に示した建具においてストッパ部材が非作用位置に配置された状態の要部を示す横断面図である。
【図１４】図１４は、図１２に示した建具に適用するストッパ部材の分解斜視図である。
【図１５】図１５は、図１４に示したストッパ部材を作用位置に配置した状態の斜視図である。
【図１６】図１６は、図１４に示したストッパ部材を非作用位置に配置した状態の斜視図である。
【図１７】図１７は、図１２に示した建具において移動阻止手段によるストッパ部材の移動阻止状態が解除される際の要部を示す横断面図である。
【図１８】図１８は、図１２に示した建具において移動阻止手段によるストッパ部材の移動阻止状態が解除された際の要部を示す横断面図である。
【図１９】図１９は、図１２に示した建具においてストッパ部材が作用位置に配置された状態の要部を示す横断面図である。
【図２０】図２０は、図１９に示した状態においてストッパ部材に開閉体が当接した状態の要部を示す横断面図である。
【発明を実施するための形態】
【００２０】
以下、添付図面を参照しながら本発明に係る建具の好適な実施の形態について詳細に説明する。
【００２１】
（実施の形態１）
図１及び図２は、本発明の実施の形態１である建具を示したものである。ここで例示する建具は、開口枠１０に対して２枚の障子（開閉体）２０をスライド可能に配設した、いわゆる引き違い窓と称されるものである。開口枠１０は、上枠１１、下枠１２及び一対の縦枠１３を四周枠組みすることによって構成した矩形状を成すものである。障子２０は、それぞれ上框２１、下框２２及び一対の縦框２３を四周框組みし、かつこれら上框２１、下框２２及び一対の縦框２３の間にガラス板等の面材２４を配設することによって構成したものである。
【００２２】
図２からも明らかなように、本実施の形態１で示した障子２０には、戸先側となる縦框２３の戸先面に上下方向に沿って凹溝２３ａが形成してあり、その内部に弾性材料によって成形した引寄せ部材２５が装着してある一方、開口枠１０には、戸先面の凹溝２３ａに対向する縦枠１３に上下方向に沿って突条片１４が突設してある。この障子２０では、開口枠１０に対して障子２０を閉めた場合に縦框２３の凹溝２３ａに突条片１４が進入し、突条片１４が引寄せ部材２５に押圧された状態となることで、縦枠１３と縦框２３との間の水密性を確保するようにしている。
【００２３】
建具の障子２０には、上述した戸先側の縦框２３に設けた凹溝２３ａにおいて縦枠１３の突条片１４よりも室内側に位置する部位にストッパユニット３０が配設してある。ストッパユニット３０は、開口枠１０に対する障子２０の閉移動を制限するためのもので、図２〜図６に示すように、縦枠１３において比較的高所となる部位に基準台座１３０を備えている。基準台座１３０は、平板状を成す基板１３１の基端部両側にそれぞれ対を成すストッパ用支持片部１３２を有するとともに、基板１３１の先端部両側にそれぞれ対を成すフック用支持片部１３３を有したものである。この基準台座１３０は、一対のストッパ用支持片部１３２を互いに障子２０の見込み方向に沿って並設させ、かつフック用支持片部１３３に対してストッパ用支持片部１３２が下方に位置する状態で基板１３１を介して凹溝２３ａの内壁面に取り付けてある。この基準台座１３０には、ストッパ用支持片部１３２の相互間にストッパ部材２３０が配設してあるとともに、フック用支持片部１３３の相互間にフック部材３３０が配設してある。
【００２４】
ストッパ部材２３０は、横断面が矩形の柱状を成し、基端部の両側面間に軸挿通孔２３１を有したものである。このストッパ部材２３０は、ストッパ用支持片部１３２に設けた軸支持孔１３２ａを介して軸挿通孔２３１に軸部材２３２を挿通させることにより、基端部を介して基準台座１３０に支持させてある。
【００２５】
このストッパ部材２３０には、基準台座１３０の基板１３１に対向する面と基端面との間に弧状面２３５が形成してある。弧状面２３５は、軸挿通孔２３１を中心とした円弧に沿った円筒状面であり、軸部材２３２の軸心を中心としたストッパ部材２３０の回転を許容するものである。
【００２６】
すなわち、基準台座１３０を介して縦框２３に取り付けたストッパ部材２３０は、基板１３１に対して、障子２０の見込み方向に沿って水平に配置された軸部材２３２の軸心回りに回転することが可能であり、非作用位置と作用位置との間を移動する。非作用位置は、ストッパ部材２３０の先端部が鉛直上方に配置され、縦框２３の凹溝２３ａに収容された位置である。作用位置は、ストッパ部材２３０の先端部が基板１３１から離隔してほぼ水平となるまで回転し、先端部が縦框２３の戸先面から突出した位置である。ただし、作用位置に配置されたストッパ部材２３０は、基端面が基準台座１３０の基板１３１に当接することによってそれ以上の回転が阻止された状態となる。ストッパ部材２３０が作用位置に配置された場合には、開口枠１０に対して障子２０を全閉位置まで移動させた場合にも、ストッパ部材２３０と開口枠１０の縦枠１３との間には、予め設定した間隙が確保される。
【００２７】
図３からも明らかなように、ストッパ部材２３０には、先端面に緩衝体２３３が配設してあるとともに、先端部の両側にそれぞれ係止部２３４が設けてある。緩衝体２３３は、ゴム等の弾性材料によって板状に成形したもので、ストッパ部材２３０の先端面に取り付けてある。係止部２３４は、ストッパ部材２３０が非作用位置に配置された場合に両側の上端部となる位置に設けたもので、ストッパ面２３４ａ及び受圧面２３４ｂを有している。ストッパ面２３４ａ及び受圧面２３４ｂは、図７に示すように、ストッパ部材２３０の長手方向に沿って延在する互いに平行な平面である。ストッパ部材２３０が非作用位置に配置された場合、ストッパ面２３４ａ及び受圧面２３４ｂの双方は、それぞれ鉛直方向に沿って延在するように形成してある。ストッパ面２３４ａは、係止部２３４において縦框２３に対向する位置に形成してある一方、受圧面２３４ｂは、係止部２３４において基準台座１３０の基板１３１に対向する位置に形成してある。
【００２８】
フック部材３３０は、両側面に設けた支持ピン部３３１をフック用支持片部１３３のピン支持孔１３３ａに挿通させることにより、支持ピン部３３１の軸心回りに回転することが可能である。フック部材３３０の支持ピン部３３１は、ストッパ部材２３０の軸部材２３２と平行となるように構成してあり、障子２０の見込み方向に沿って水平に配置された軸心を中心としてフック部材３３０を回転させることが可能である。
【００２９】
このフック部材３３０には、ストッパ部材２３０の係止部２３４に対応する部位にそれぞれ挟持部３３２が設けてあるとともに、これら挟持部３３２の間となる部位に重錘部３３３が設けてある。
【００３０】
挟持部３３２は、下方に開口する凹状の切欠を有したもので、ストッパ部材２３０が非作用位置に配置された場合に、対応する係止部２３４のストッパ面２３４ａ及び受圧面２３４ｂに対してそれぞれ係止面３３４ａ及び押圧面３３５ａを対向配置させるものである。挟持部３３２において押圧面３３５ａを構成する押圧片部３３５は、支持ピン部３３１の下方となる部位において下方に延在するように構成してある。これに対して挟持部３３２において係止面３３４ａを構成するストッパ片部３３４は、縦框２３の戸先面に対して支持ピン部３３１よりも離隔した位置において下方に延在するように構成してある。
【００３１】
重錘部３３３は、支持ピン部３３１を中心としたモーメントにより、押圧片部３３５を常時縦框２３の戸先面に対して近接する方向に移動するためのもので、支持ピン部３３１よりも上方、かつ縦框２３の戸先面に対して支持ピン部３３１よりも離隔した部位に構成してある。
【００３２】
フック部材３３０の重錘部３３３には、室外側に位置する部位にリリーフピン（当接部材）３３６が設けてある。リリーフピン３３６は、図２に示すように、重錘部３３３から障子２０の見込み方向に沿って水平に突設したもので、その突出端部が縦枠１３に設けた突条片１４の先端に見付け方向（障子２０の開閉方向）で対向する位置に達している。このリリーフピン３３６は、開口枠１０に対して障子２０を全閉位置まで移動させた際に突条片１４によって押圧され、重錘部３３３によるモーメントに抗してフック部材３３０を支持ピン部３３１の軸心回りに回転させ、押圧片部３３５を戸先面から離隔する方向に向けて移動させる機能を有している。
【００３３】
上記のように構成したストッパユニット３０においては、例えば作用位置に配置されたストッパ部材２３０を手で非作用位置まで回転させ、ストッパ部材２３０の係止部２３４をフック部材３３０の挟持部３３２においてストッパ片部３３４と押圧片部３３５との間に位置させれば、図４及び図７、図８に示すように、フック部材３３０の係止面３３４ａがストッパ部材２３０のストッパ面２３４ａに当接することにより、ストッパ部材２３０の作用位置への移動が阻止されることになる（係合位置）。
【００３４】
上述したように、フック部材３３０には、重錘部３３３によってモーメントが作用している。これにより、振動や衝撃が加えられた場合、あるいは障子２０の開放移動に伴う慣性力が作用した場合にも、フック部材３３０の係止面３３４ａとストッパ部材２３０のストッパ面２３４ａとの当接状態が維持されることになる。従って、ストッパ部材２３０は、縦框２３の凹溝２３ａに収容された状態を維持することになり、このまま障子２０を閉じれば、開口枠１０に対して障子２０を全閉位置に移動させることができるようになる。
【００３５】
ここで、開口枠１０に対して障子２０を全閉位置に移動させた場合には、図２及び図９に示すように、縦枠１３の突条片１４がフック部材３３０のリリーフピン３３６に当接してこれを押圧するため、フック部材３３０が支持ピン部３３１の軸心回りに回転することになる。リリーフピン３３６を押圧することによってフック部材３３０が回転した場合には、フック部材３３０の係止面３３４ａとストッパ部材２３０のストッパ面２３４ａとの当接状態が解除されると同時に、フック部材３３０の押圧面３３５ａによってストッパ部材２３０の受圧面２３４ｂが押圧される（非係合位置）。
【００３６】
この結果、ストッパ部材２３０の先端部が縦框２３の戸先面から離隔するように回転し、ストッパ部材２３０の先端部が縦枠１３に当接する状態まで回動して停止する。尚、このリリーフピン３３６は、もう一方の障子２０にストッパ部材２３０を適用する場合、フック部材３３０の逆の面から室外側に向けて設ける必要がある。
【００３７】
上述の状態から開口枠１０に対して障子２０を開けた場合には、ストッパ部材２３０の先端部が縦枠１３から離隔するため、ストッパ部材２３０が自重によってさらに回転し、作用位置に配置された状態で停止する。尚、この際、障子２０を開放移動させることで生じる慣性力もストッパ部材２３０に作用するため、ストッパ部材２３０が確実に回転して作用位置に配置することになる。従って、この状態のまま開口枠１０に対して障子２０を閉める方向に移動させると、ストッパ部材２３０が縦枠１３と縦框２３との間に介在するため、障子２０を全閉位置まで移動させることができず、縦枠１３と縦框２３との間に間隙が確保される。これにより、誤って縦枠１３と縦框２３の間に手を置いたまま障子２０を閉める方向に移動させたとしても、これらの間に指を挟む恐れがない。
【００３８】
再び、障子２０を全閉位置まで移動させる際には、先と同様、ストッパ部材２３０を非作用位置まで回転させれば、フック部材３３０によってその状態を維持することができるため、ストッパ部材２３０を手で押さえながら障子２０を操作する必要がなく、その操作が煩雑化することはない。
【００３９】
このように、上述した建具によれば、開口枠１０に対して障子２０が開いた状態においても、ストッパ部材２３０を非作用位置に配置させれば、フック部材３３０によってその状態が維持されるため、開口枠１０に対して障子２０を閉める際の操作が煩雑化することがない。しかも、フック部材３３０によってストッパ部材２３０を非作用位置に維持させた状態にあっても、開口枠１０に対して障子２０を閉めれば、フック部材３３０の係止面３３４ａとストッパ部材２３０のストッパ面２３４ａとの当接状態が解除されると同時に、フック部材３３０の押圧面３３５ａによってストッパ部材２３０の受圧面２３４ｂが押圧され、ストッパ部材２３０の先端部が縦枠１３に当接した状態となる。従って、再び開口枠１０に対して障子２０を開ければ、ストッパ部材２３０が確実に作用位置に配置され、指挟みを招来する恐れがなくなる。
【００４０】
尚、上述した実施の形態１では、障子２０の縦框２３にストッパ部材２３０を設けるようにしているが、必ずしもこれに限定されず、開口枠１０にストッパ部材２３０を設けるようにしても同様の作用効果を奏することが可能である。
【００４１】
（実施の形態２）
図１２及び図１３は、本発明の実施の形態２である建具を示したものである。ここで例示する建具は、開口枠４０に対して２枚の障子（開閉体）５０をスライド可能に配設した、いわゆる引き違い窓と称されるものである。開口枠４０は、上枠４１、下枠４２及び一対の縦枠４３を四周枠組みすることによって構成した矩形状を成すものである。障子５０は、それぞれ上框５１、下框５２及び一対の縦框５３を四周框組みし、かつこれら上框５１、下框５２及び一対の縦框５３の間にガラス板等の面材５４を配設することによって構成したものである。戸先側に位置する縦框５３の見付け面には、それぞれ障子５０を開閉する際に手を差し入れるための溝５３ａが上下方向に沿って形成してある。
【００４２】
建具の開口枠４０には、図１３に示すように、障子５０よりも室内側に位置する部位にストッパユニット６０が配設してある。ストッパユニット６０は、開口枠４０に対する障子５０の閉移動を制限するためのもので、縦枠４３において比較的高所となる部位に基準ブラケット６１０を備えている。
【００４３】
基準ブラケット６１０は、図１３〜図１６に示すように、平板状を成す基板６１１と、基板６１１の上下両端縁からそれぞれ互いに平行となるように水平方向に突設した一対のストッパ用支持片部６１２とを有したものである。ストッパ用支持片部６１２は、先端部を半円弧状に成形した薄板状部材であり、それぞれに軸支持孔６１２ａが設けてある。ストッパ用支持片部６１２の軸支持孔６１２ａは、それぞれの軸心が障子５０の見付け方向に沿うように鉛直方向に延在し、かつ互いに合致する位置に形成してある。図１３に示すように、軸支持孔６１２ａは、ストッパ用支持片部６１２の幅方向において室外側に偏って設けてある。
【００４４】
この基準ブラケット６１０は、図１３〜図１６に示すように、ストッパ用支持片部６１２がもう一方の縦枠４３に向けて突出する状態で基板６１１を介して縦枠４３の見込み面に取り付けてある。基準ブラケット６１０を取り付ける見込み方向の位置は、障子５０を全閉位置に配置した場合にも相互に干渉することがなく、かつストッパ用支持片部６１２において室外側に位置する縁部が障子５０の縦框５３に近接した位置である。
【００４５】
基準ブラケット６１０には、ストッパ用支持片部６１２の相互間にストッパ部材６２０が配設してある。ストッパ部材６２０は、中心部に軸挿通孔６２１ａを有した円柱状を成す基部６２１と、基部６２１の外周面から径外方向に突出した当接部材６２２及び作用部６２３とを一体に成形したものである。
【００４６】
基部６２１は、軸方向の長さが一対のストッパ用支持片部６１２の相互間距離とほぼ等しく、かつ外径がストッパ用支持片部６１２の幅よりも小さく形成してある。この基部６２１は、ストッパ用支持片部６１２の軸支持孔６１２ａを介して軸挿通孔６２１ａに軸部材６２４を挿通させることにより、ストッパ用支持片部６１２の相互間に軸部材６２４の軸心回りに回転可能に配設してある。
【００４７】
当接部材６２２は、基部６２１の外周面から径外方向に突出した矩形の平板状部材である。当接部材６２２の突出端部は、ストッパ用支持片部６１２の両端面から突出することのできる長さを有しており、軸部材６２４の軸心から室外側に向けて配置された場合に、障子５０において縦框５３の先端部に当接することが可能である。
【００４８】
作用部６２３は、基部６２１の外周面において当接部材６２２と１８０°ずれた位置から径外方向に向けて突出した後、左右方向に膨出したブロック状部材である。この作用部６２３は、障子５０を開けた状態で室外側に配置された場合、障子５０の縦框５３と開口枠４０の縦枠４３との間に介在する大きさを有しており、膨出した一方の端部を開口枠４０の縦枠４３に当接させることが可能である（以下、この位置を「作用位置」という：図１９参照）。
【００４９】
これに対してストッパ部材６２０を１８０°回転させて作用部６２３を室内側に配置させた場合には、障子５０を開閉する際の移動領域から退避し、障子５０の開閉を妨げることがない（以下、この位置を「非作用位置」という：図１３参照）。ただし、ストッパ部材６２０が非作用位置に配置された状態においては、当接部材６２２が室外側に向けて突出した状態にあり、障子５０の縦框５３と当接することが可能である。
【００５０】
この作用部６２３には、受圧部６２３ａ及び摺動部６２３ｂが設けてある。受圧部６２３ａは、ストッパ部材６２０が作用位置に配置された場合に、障子５０において縦框５３の戸先面に対向する面である。この受圧部６２３ａには、ゴム等の弾性材料によって成形した緩衝体６２５が装着してある。摺動部６２３ｂは、ストッパ部材６２０が作用位置に配置された場合に先端部を介して開口枠４０の縦枠４３に当接する部分である。摺動部６２３ｂにおいて縦枠４３に当接する部分にも、弾性材料によって成形した緩衝体６２６が装着してある。
【００５１】
また、ストッパ部材６２０には、ストッパ用支持片部６１２との間にバネ（スプリング）６４０が介在させてある。バネ６４０は、一方の端部６４０ａがバネピン６４１を介して下方のストッパ用支持片部６１２に取り付けてあるとともに、他方の端部６４０ｂが上方に向けて屈曲しており、ストッパ部材６２０における基部６２１の下面に差し込んだ状態で装着してある。
【００５２】
このバネ６４０は、ストッパ部材６２０が非作用位置にある場合、ストッパ部材６２０が非作用位置を維持する方向に付勢する一方、ストッパ部材６２０を作用位置に向けて回転させ、基部６２１に装着した端部６４０ｂが予め設定した中点位置を超えた場合には付勢方向が反転し、ストッパ部材６２０を作用位置に向けて付勢するものである。
【００５３】
本実施の形態２では、非作用位置からストッパ部材６２０を作用位置に向けて回転させ、摺動部６２３ｂを障子５０において室内側に位置する面に当接させた場合にバネ６４０が中点位置を超え、バネ６４０がストッパ部材６２０を作用位置に向けて押圧するように設定してある。
【００５４】
逆に、ストッパ部材６２０が作用位置にある場合、バネ６４０は、ストッパ部材６２０が作用位置を維持する方向に付勢しているが、非作用位置に向けて回転させ、基部６２１に装着した端部６４０ｂが先の中点位置を超えた場合には付勢方向が反転し、ストッパ部材６２０を非作用位置に向けて付勢する機能を有している。
【００５５】
尚、障子５０の縦框５３においてストッパ部材６２０に対応する高さ位置には、溝５３ａを覆うためのスペーサ５５が装着してあり、室内側に位置する見付け面が平坦となるように修正してある。
【００５６】
上記のように構成したストッパユニット６０においては、図１３に示すように、例えば作用位置に配置されたストッパ部材６２０を手で非作用位置まで回転させると、バネ６４０の付勢力により、ストッパ部材６２０が図１３において時計回りに付勢され、受圧部６２３ａが基準ブラケット６１０の基板６１１に当接された状態を維持する。従って、振動や衝撃が加えられた場合にも、ストッパ部材６２０が不用意に回転することはなく、このまま障子５０を閉じれば、開口枠４０に対して障子５０を全閉位置に移動させることができるようになる。
【００５７】
ここで、上述したように、ストッパ部材６２０が非作用位置に配置された状態おいては、当接部材６２２が室外側に向けて突出した状態にあり、障子５０の縦框５３と当接することが可能である。従って、開口枠４０に対して障子５０を全閉位置に移動させた場合には、図１７に示すように、その過程において障子５０の縦框５３が当接部材６２２に当接し、そのまま障子５０の移動に伴ってストッパ部材６２０が作用位置に向けて回転することになる。
【００５８】
障子５０を全閉位置に移動させる際にストッパ部材６２０が作用位置に向けて回転した場合には、図１８に示すように、摺動部６２３ｂの進行方向に障子５０が存在するため、摺動部６２３ｂが障子５０において室内側に位置する面に当接する。このとき、バネ６４０は、中点位置を通過しているため、付勢方向が反転しており、ストッパ部材６２０の摺動部６２３ｂがそのまま障子５０に当接した状態に維持される。
【００５９】
上述の状態から開口枠４０に対して障子５０を開けた場合には、ストッパ部材６２０の摺動部６２３ｂが障子５０に摺接されることになり、縦框５３が通過した時点で、図１９に示すように、バネ６４０の付勢力によってストッパ部材６２０が作用位置に配置される。従って、この状態のまま開口枠４０に対して障子５０を閉める方向に移動させると、ストッパ部材６２０が縦枠４３と縦框５３との間に介在するため、障子５０を全閉位置まで移動させることができず、縦枠４３と縦框５３との間に間隙が確保される。これにより、誤って縦枠４３と縦框５３の間に手を置いたまま障子５０を閉める方向に移動させたとしても、これらの間に指を挟む恐れがない。
【００６０】
再び、障子５０を全閉位置まで移動させる際には、先と同様、ストッパ部材６２０を非作用位置まで回転させれば、バネ６４０の付勢力によってその位置が維持されるため、ストッパ部材６２０を手で押さえながら障子５０を操作する必要がなく、その操作が煩雑化することはない。尚、上述したように、障子５０の縦框５３においてストッパ部材６２０に対応する高さ位置には、溝５３ａを覆うためのスペーサ５５が装着してある。従って、ストッパ部材６２０が作用位置に配置された状態においても、ストッパ部材６２０の摺動部６２３ｂが溝５３ａに進入する恐れはなく、ストッパ部材６２０が障子５０を開閉させる際の障害になることはない。
【００６１】
このように、上述した建具によれば、開口枠４０に対して障子５０が開いた状態においても、ストッパ部材６２０を非作用位置に配置させれば、バネ６４０の付勢力によってその状態が維持されるため、開口枠４０に対して障子５０を閉める際の操作が煩雑化することがない。しかも、ストッパ部材６２０を非作用位置に維持させた状態にあっても、開口枠４０に対して障子５０を閉めれば、当接部材６２２に障子５０が当接することによってストッパ部材６２０が作用位置に向けて回転し、付勢力が反転したバネ６４０によって摺動部６２３ｂの先端が障子５０に押圧された状態となる。従って、再び開口枠４０に対して障子５０を開ければ、バネ６４０の付勢力によってストッパ部材６２０が確実に作用位置に配置され、指挟みを招来する恐れがなくなる。尚、上述した実施の形態２では、開口枠４０の縦枠４３にストッパ部材６２０を設けるようにしているが、必ずしもこれに限定されず、障子５０の縦框５３にストッパ部材６２０を設けるようにしても同様の作用効果を奏することが可能である。
【００６２】
また、上述した実施の形態１及び実施の形態２では、いずれも引き違い窓を例示しているが、必ずしもこれに限定されず、ドア、室内建具にも適用することが可能である。また、開口枠に対する障子の開閉方向は、必ずしもスライドに限らず、スライドさせる場合にもその方向は左右方向である必要はない。
【符号の説明】
【００６３】
１０，  ４０      開口枠
１３，  ４３      縦枠
２０，  ５０      障子
２３，  ５３      縦框
２３ａ      凹溝
３０，  ６０      ストッパユニット
２３０，６２０      ストッパ部材
３３０      フック部材
３３６      リリーフピン
６２２      当接部材
６４０      バネ
【図１】
0005591660.tif 000002
【図２】
0005591660.tif 000003
【図３】
0005591660.tif 000004
【図４】
0005591660.tif 000005
【図５】
0005591660.tif 000006
【図６】
0005591660.tif 000007
【図７】
0005591660.tif 000008
【図８】
0005591660.tif 000009
【図９】
0005591660.tif 000010
【図１０】
0005591660.tif 000011
【図１１】
0005591660.tif 000012
【図１２】
0005591660.tif 000013
【図１３】
0005591660.tif 000014
【図１４】
0005591660.tif 000015
【図１５】
0005591660.tif 000016
【図１６】
0005591660.tif 000017
【図１７】
0005591660.tif 000018
【図１８】
0005591660.tif 000019
【図１９】
0005591660.tif 000020
【図２０】
0005591660.tif 000021